(57)【要約】  【課題】  光ディスク装置において、書き込み時における光ディスクの欠陥検出の信頼性と再生可否判定の信頼性とを確保できる技術の提供。  【解決手段】  書き込み動作中に、書き込みを要求されたセクタ範囲内に欠陥の可能性のあるセクタがあるか否かを、光ディスクからの反射光に基づく再生信号により判別し、該判別の結果、該書き込み要求されたセクタ範囲内に欠陥の可能性のあるセクタがないとき、さらに、交替情報に基づき、該書き込み要求されたセクタ範囲内に欠陥セクタの近傍位置のセクタが含まれるか否かを判別する。該判別の結果、該セクタ範囲内に該欠陥セクタの近傍位置のセクタが含まれるとき、試し読みの結果をみて交替領域への書き込みを行う。【選択図】  図２
2005108337.tif 000002
【特許請求の範囲】
【請求項１】
試し読みにより光ディスクの書き込み状態を検知しながら情報を記録可能な光ディスク装置であって、
書き込みの要求信号を取入れるインターフェースと、
上記光ディスクの管理情報領域から読み出した欠陥セクタに関する交替情報を記憶する記憶手段と、
書き込み動作中に、上記光ディスクからの反射光に基づく再生信号により、上記書き込みを要求されたセクタ範囲内に欠陥の可能性のあるセクタがあるか否かを判別する第１の判別手段と、
書き込み動作中に、上記要求信号により書き込みを要求されたセクタ情報と、上記記憶手段から読み出した交替情報とを比較し、該書き込みを要求されたセクタ範囲内に、上記欠陥セクタの近傍位置のセクタが含まれるか否かを判別する第２の判別手段と、
を備え、上記第１の判別手段及び第２の判別手段による判別結果に基づき、上記書き込み動作の継続、停止及び上記試し読みの実行を制御する構成としたことを特徴とする光ディスク装置。
【請求項２】
試し読みにより光ディスクの書き込み状態を検知しながら情報を記録可能な光ディスク装置であって、
書き込みの要求信号を取入れるインターフェースと、
上記光ディスクの管理情報領域から読み出した欠陥セクタに関する交替情報を記憶する記憶手段と、
書き込み動作中に、上記光ディスクからの反射光に基づく再生信号により、上記書き込みを要求されたセクタ範囲内に欠陥の可能性のあるセクタがあるか否かを判別する第１の判別手段と、
上記第１の判別手段による判別の結果、上記書き込みを要求されたセクタ範囲内に欠陥の可能性のあるセクタがないとされるとき、上記要求信号により書き込みを要求されたセクタ情報と、上記記憶手段から読み出した交替情報とを比較し、該書き込みを要求されたセクタ範囲内に、上記欠陥セクタの近傍位置のセクタが含まれるか否かを判別する第２の判別手段と、
上記第１の判別手段による判別の結果、上記書き込みを要求されたセクタ範囲内に欠陥の可能性のあるセクタがあるとされるとき、または上記第２の判別手段による判別の結果、上記書き込みを要求されたセクタ範囲内に、上記欠陥セクタの近傍位置のセクタが含まれるとされるとき、上記書き込み処理を一旦停止して試し読みを行う手段と、
上記試し読みの結果に基づき上記光ディスクに対し交替書き込みを行う手段と、
を備え、上記第１の判別手段及び第２の判別手段による判別結果に基づき、上記交替書き込みの実行を制御して情報記録を行う構成としたことを特徴とする光ディスク装置。
【請求項３】
試し読みにより光ディスクの書き込み状態を検知しながら情報を記録可能な光ディスク装置であって、
書き込みの要求信号を取入れるインターフェースと、
上記光ディスクの管理情報領域から読み出した欠陥セクタに関する交替情報を記憶する記憶手段と、
書き込み動作中に、上記要求信号により書き込みを要求されたセクタ情報と、上記記憶手段から読み出した交替情報とを比較し、該書き込みを要求されたセクタ範囲内に、上記欠陥セクタの近傍位置のセクタが含まれるか否かを判別する第１の判別手段と、
上記第１の判別手段による判別の結果、上記書き込みを要求されたセクタ範囲内に、上記欠陥セクタの近傍位置のセクタが含まれるとき、上記欠陥セクタの判別基準を引き上げて新たな判別基準を設定する設定手段と、
書き込み動作中に、上記光ディスクからの反射光に基づく再生信号により、上記書き込みを要求されたセクタ範囲内に欠陥の可能性のあるセクタがあるか否かを上記新たに設定した判別基準で判別する第２の判別手段と、
上記第２の判別手段による判別の結果、上記書き込みを要求されたセクタ範囲内に欠陥の可能性のあるセクタがあるとされるとき、上記書き込み処理を一旦停止して試し読みを行う手段と、
上記試し読みの結果に基づき交替書き込みを行う手段と、
を備え、上記第１の判別手段及び第２の判別手段による判別結果に基づき、上記交替書き込みの実行を制御する構成としたことを特徴とする光ディスク装置。
【請求項４】
光ディスクの書き込み状態を検知しながら情報記録を行う光ディスク装置の情報記録方法であって、
書き込みの要求信号を取入れる第１のステップと、
上記光ディスクの管理情報領域から読み出した欠陥セクタに関する交替情報を記憶手段に記憶する第２のステップと、
書き込み動作中に、上記光ディスクからの反射光に基づく再生信号により、上記書き込みを要求されたセクタ範囲内に欠陥の可能性のあるセクタがあるか否かを判別する第３のステップと、
上記判別の結果、上記書き込みを要求されたセクタ範囲内に欠陥の可能性のあるセクタがないとされるとき、上記要求信号により書き込みを要求されたセクタ情報と、上記記憶手段から読み出した交替情報とを比較し、該書き込みを要求されたセクタ範囲内に、上記欠陥セクタの近傍位置のセクタが含まれるか否かを判別する第４のステップと、
上記第３のステップにおける判別の結果、上記書き込みを要求されたセクタ範囲内に欠陥の可能性のあるセクタがあるとされるとき、または上記第４のステップにおける判別の結果、上記書き込みを要求されたセクタ範囲内に、上記欠陥セクタの近傍位置のセクタが含まれるとされるとき、上記書き込み処理を一旦停止して試し読みを行う第５のステップと、
上記試し読みの結果に基づき、交替領域への書き込みの要否を判別する第６のステップと、
を経て、情報記録を行うことを特徴とする光ディスク装置の情報記録方法。
【請求項５】
光ディスクの書き込み状態を検知しながら情報記録を行う光ディスク装置の情報記録方法であって、
書き込みの要求信号を取入れる第１のステップと、
上記光ディスクの管理情報領域から読み出した欠陥セクタに関する交替情報を記憶手段に記憶する第２のステップと、
書き込み動作中に、上記要求信号により書き込みを要求されたセクタ情報と、上記記憶手段から読み出した交替情報とを比較し、該書き込みを要求されたセクタ範囲内に、上記欠陥セクタの近傍位置のセクタが含まれるか否かを判別する第３のステップと、
上記第３のステップにおける判別の結果、上記書き込みを要求されたセクタ範囲内に、上記欠陥セクタの近傍位置のセクタが含まれるとき、上記欠陥セクタの判別基準を引き上げて新たな判別基準を設定する第４のステップと、
書き込み処理及び欠陥セクタの検出処理を開始する第５のステップと、
書き込み動作中に、上記光ディスクからの反射光による再生信号により、上記書き込みを要求されたセクタ範囲内に欠陥の可能性のあるセクタがあるか否かを上記新たに設定した判別基準で判別する第６のステップと、
上記第５のステップにおける判別の結果、上記書き込みを要求されたセクタ範囲内に欠陥の可能性のあるセクタがあるとき、上記書き込み処理を一旦停止して試し読みを行う第７のステップと、
上記試し読みの結果に基づき交替書き込みを行う第８のステップと、
を経て、情報記録を行うことを特徴とする光ディスク装置の情報記録方法。
【発明の詳細な説明】
【技術分野】
【０００１】
本発明は、光ディスク装置において欠陥セクタを管理しながら情報記録を行う技術に関する。
【背景技術】
【０００２】
本発明に関連した技術としては、例えば、特開２００２−３３４４３１号公報（特許文献１）に記載されたものがある。該公報には、光ディスク装置において、データ転送速度の劣化を回避し、簡易な構成によりデータの正しい再生か否かを確認できるようにするために、主ビームスポットの走査に対して先行する側に形成されるトラッキング制御用の副ビームスポットの戻り光の受光結果より、レーザービームの光量の立ち上げによる信号レベルの変化を抑圧して光ディスクの欠陥を検出するとともに、主ビームスポットの走査に対し後行する側に形成されるトラッキング制御用の副ビームスポットの戻り光の受光結果より、書き込みによる信号レベルの変化を抑圧し正しくデータを再生できるか否かを判別する技術が記載されている。
【０００３】
【特許文献１】特開２００２−３３４４３１号公報
【発明の開示】
【発明が解決しようとする課題】
【０００４】
例えば上記背景技術の特開２００２−３３４４３１号公報記載の技術は、ビームスポットの戻り光の受光結果だけによって光ディスクの欠陥検出と再生可否の判定とを行う構成のため、欠陥の検出精度や再生可否の判定精度に限界がある。このため、例えば、書き込んだ情報が実際は再生不可能な状態にあったとしても交替領域への交替処理が行われず、そのために記録情報が失われてしまう場合も起こり得る。
本発明の課題点は、上記背景技術の状況に鑑み、光ディスク装置において、書き込み時における光ディスクの欠陥検出の信頼性と再生可否判定の信頼性とを確保できるようにするとともに、短時間での書き込みを行えるようにすることである。
本発明の目的は、かかる課題点を解決できる技術の提供にある。
【課題を解決するための手段】
【０００５】
上記課題点を解決するために、本発明では、光ディスク装置において、（１）書き込み動作中に、書き込みを要求されたセクタ範囲内に欠陥の可能性のあるセクタがあるか否かを、光ディスクからの反射光（戻り光）に基づく再生信号により判別するとともに、該判別の結果、該書き込み要求されたセクタ範囲内に欠陥の可能性のあるセクタがないとされる場合、さらに、上記書き込み要求されたセクタ情報と記憶手段から読み出した交替情報とを比較することで該書き込み要求されたセクタ範囲内に欠陥セクタの近傍位置のセクタが含まれるか否かを判別する。該判別の結果、該書き込み要求されたセクタ範囲内に欠陥セクタの近傍位置のセクタが含まれるとき、または上記判別の結果、該書き込み要求されたセクタ範囲内に欠陥の可能性のあるセクタがあるとき、書き込み処理を一旦停止して試し読み（ベリファイリード）を行い、その結果をみて交替領域への書き込みを行う。また、（２）書き込み動作中に、要求信号により書き込みを要求されたセクタ情報と記憶手段から読み出した交替情報とを比較することで、該書き込みを要求されたセクタ範囲内に欠陥セクタの近傍位置のセクタが含まれるか否かを判別し、該判別の結果、該セクタ範囲内に該近傍位置のセクタが含まれるときは、欠陥セクタの判別基準を引き上げ、該引き上げた判別基準に基づき、上記書き込みを要求されたセクタ範囲内に欠陥の可能性のあるセクタがあるか否かを判別する。該判別の結果、該書き込み要求されたセクタ範囲内に欠陥の可能性のあるセクタがあるときは、書き込み処理を一旦停止して試し読み（ベリファイリード）を行い、その結果で交替領域への書き込みを行う。
【発明の効果】
【０００６】
本発明によれば、光ディスク装置において、書き込み時における光ディスクの欠陥検出と再生可否の判定の信頼性を確保することができる。短時間での書き込み動作も可能となる。
【発明を実施するための最良の形態】
【０００７】
以下、本発明を実施するための最良の形態につき、図面を用いて説明する。
図１〜図２は、本発明の第１の実施形態の説明図である。図１は、本発明の実施形態としての光ディスク装置の構成例図、図２は、図１の構成における光ディスクへの情報の書き込み動作の説明図である。
図１において、１は、光ディスク装置に装填された光ディスク、２は光ディスク１を回転駆動するディスクモータ、３は光ピックアップ、４は、光ピックアップ３を光ディスク１の半径方向に移動（アクセス移動）させるピックアップスライド機構、５はピックアップスライド機構４中のリードスクリュー部材（図示なし）を回転駆動するスライダモータ、６は、ディスクモータ２やスライダモータ５を制御駆動するモータ駆動回路、７は、光ピックアップ内で、記録再生動作用のレーザー光を発生するレーザーダイオード、８は、光ディスク１の記録面から反射したレーザー光を受光する受光部、９は、レーザーダイオード７を駆動するレーザー駆動回路、１０は、対物レンズを有し光ディスク１の記録面に対し入出射するレーザー光を光学処理する光学系、１１は、光学系１０の位置や姿勢を変えるアクチュエータ、１２は、光ディスク１へ記録する記録信号を生成する記録信号生成部、１３は、受光部８からの再生信号を、ＲＦ信号や、トラッキング誤差信号や、フォーカス誤差信号として処理する再生／誤差信号処理部、１４は、アクチュエータ１１を駆動する駆動信号を生成するフォーカス／トラッキング制御部、２０は、モータ駆動回路６に供給するサーボ信号を生成したり、記録信号生成部を制御する信号を生成したり、再生／誤差信号処理部１３からの信号に基づき、再生信号（ＲＦ信号）を復調したり、トラッキング誤差信号やフォーカス誤差信号に基づき、フォーカス／トラッキング制御部１４に供給するフォーカス制御信号やトラッキング制御信号を生成したり、上記サーボ信号のレベルを制御したりするＤＳＰ（Ｄｉｇｉｔａｌ  Ｓｉｇｎａｌ  Ｐｒｏｃｅｓｓｏｒ）、３０はＤＳＰ２０を制御するマイコン、４０は、書き込みの要求信号を取入れるインターフェース、５０は、光ディスク装置に対し書き込み要求信号を出力して書き込み要求を行うホストコンピュータである。マイコン３０中には、該マイコン３０に本発明の書き込み動作の手順を実行させるためのプログラムが保存されている。また、ＤＳＰ２０内のメモリ等の記憶手段には光ディスク１の管理情報領域から読み出される欠陥セクタに関する交替情報が記憶される。
【０００８】
上記構成において、マイコン３０からの指示によりＤＳＰ２０がモータ駆動回路６にディスクモータ駆動用のサーボ信号を出力すると、該サーボ信号を受けてモータ駆動回路６は、ディスクモータ駆動用信号を形成して出力し、ディスクモータ２を所定速度で回転させる。ディスクモータ２はターンテーブル６０を介して光ディスク１を所定速度で回転させる。記録時、ホストコンピュータ５０から出力された書き込み要求信号がインターフェース４０から取入れられると、マイコン３０はＤＳＰ２０に対し記録を指示する信号を送出する。記録信号生成部１２は、マイコン３０からの指示によるＤＳＰ２０からの制御信号に従い、記録用信号を生成してレーザー駆動回路９に入力する。レーザー駆動回路９は、該記録用信号に基づきレーザーダイオード７を駆動し、該記録用信号に対応するレーザー光を発生させる。該レーザー光は光学系１０を通って、回転する光ディスク１の記録面に照射され、情報記録が行われる。また、再生時は、光ディスク１の記録面からの反射レーザー光が光学系１０を通って受光部８に入り、ここで再生信号として電気信号に変換される。該再生信号は再生／誤差信号処理部１３に入力され、ＲＦ信号や、トラッキング誤差信号や、フォーカス誤差信号として増幅処理等される。再生／誤差信号処理部１３から出力された信号はＤＳＰ２０に入力され、該ＤＳＰ２０内で、ＲＦ信号は復調され、トラッキング誤差信号、フォーカス誤差信号からはそれぞれ、トラッキング制御信号、フォーカス制御信号が形成される。トラッキング制御信号、フォーカス制御信号は、ＤＳＰ２０から出力されてフォーカス／トラッキング制御部１４に供給される。フォーカス／トラッキング制御部１４では、トラッキング制御信号によってはトラッキング制御用のアクチュエータ駆動信号が形成され、フォーカス制御信号によってはフォーカス制御用のアクチュエータ駆動信号が形成され、それぞれがアクチュエータ１１に供給される。アクチュエータ１１は、各アクチュエータ駆動信号によって駆動され、光学系中の対物レンズを変位させてトラッキング制御やフォーカス制御を行う。記録動作内で行う試し読み（ベリファイリード）の場合も上記再生の場合と同様である。
【０００９】
上記記録時、ホストコンピュータ５０から書き込み要求信号が出力されたとき、光ディスク１の記録面上への情報の書き込みは、欠陥セクタの検出と並行して行う。欠陥セクタの検出は、書き込み動作中に、書き込みを要求されたセクタ範囲内に欠陥の可能性のあるセクタがあるか否かを、マイコン３０が光ディスク１からの反射光（戻り光）に基づく再生信号（ＲＦ信号）に基づき判別する。光ディスク１の記録面上の傷や汚れなどによる欠陥位置への書き込み中の場合、光ディスク１からの反射光（戻り光）に基づく再生信号レベルは時間的に連続して低下した状態となる。このため、該判別では、例えば、該再生信号レベルの変化量（低下量）または該再生信号レベル低下が連続する時間長を、設定した閾値と比較し、該変化量または該時間長が該設定閾値を超える場合は、該書き込み中のセクタ及びその近傍のセクタに傷や汚れなどによる欠陥のある可能性があると判別する。該判別の結果、該書き込み要求されたセクタ範囲内に欠陥の可能性のあるセクタがない場合も、マイコン３０は、上記書き込み要求されたセクタ情報と、ＤＳＰ２０内の記憶手段から読み出した交替情報とを比較し、該書き込み要求されたセクタ範囲内に欠陥セクタの近傍位置のセクタが含まれるか否かを判別する。該判別の結果、該書き込み要求されたセクタ範囲内に欠陥セクタの近傍位置のセクタが含まれるときは、マイコン３０は、ＤＳＰ２０や光ピックアップ３などによる光ディスク１への情報の書き込み処理を一旦停止させて、試し読み（ベリファイリード）や交替書き込みを行わせる。記録時におけるこれら一連の動作は全て、マイコン３０内の保存されたプログラムに従って行われる。
【００１０】
図２は、上記図１の光ディスク装置の記録時における一連の書き込み動作の説明図である。光ディスクとしては例えばＣＤフォーマットディスク（ＣＤ−ＲＷ）を用いるとして説明する。図２中で用いる構成要素には図１におけると同じ符号を付す。
図２において、
（１）ホストコンピュータ５０からの書き込み要求信号がインターフェース４０から取入れられ、書き込み要求が発生する（ステップＳ２０１）。
（２）光ディスク装置内で光ディスク１への書き込み処理が開始され、並行して光ディスク１の欠陥セクタの検出処理も開始される（ステップＳ２０２）。
（３）書き込みを要求されたセクタ範囲内に欠陥の可能性のあるセクタがあるか否かを、書き込み処理動作中にマイコン３０が、光ディスク１からの反射光（戻り光）による再生信号（ＲＦ信号）に基づき判別する（ステップＳ２０３）。
（４）上記判別の結果、書き込みを要求されたセクタ範囲内に欠陥の可能性のあるセクタがないとされる場合、マイコン３０は、書き込み要求されたセクタ情報と、ＤＳＰ２０内の記憶手段から読み出した交替情報とを比較し、該書き込み要求されたセクタ範囲内に欠陥セクタの近傍位置のセクタが含まれるか否かを判別する（ステップＳ２０４）。
（５）上記ステップＳ２０４における判別の結果、書き込み要求されたセクタ範囲内に欠陥セクタの近傍位置のセクタが含まれる場合は、マイコン３０は、書き込み処理及び欠陥セクタの検出処理を一旦停止させる（ステップＳ２０５）。
（６）書き込み処理及び欠陥セクタ検出処理の停止後、マイコン３０は、当該近傍位置のセクタの試し読み（ベリファイリード）処理を行わせる（ステップＳ２０６）。
（７）マイコン３０は、上記試し読み（ベリファイリード）の結果、再生信号中にＣ１エラー（リードエラーやデコードエラーなど）が多くあるか否かを判別する（ステップＳ２０７）。
（８）上記ステップＳ２０７の判別の結果、Ｃ１エラーが多くあって実用上問題となるレベルのときは、マイコン３０は、当該近傍位置のセクタを欠陥セクタと判断し、当該近傍位置のセクタに書き込むべきであった情報は光ディスク１の交替領域に書き込む（＝交替書き込み処理）（ステップＳ２０８）。
（９）上記交替書き込み処理後、マイコン３０は、要求された全セクタについての書き込みが終了しているか否かを判別する（ステップＳ２０９）。
（１０）上記判別の結果、全セクタについての書き込みが終了している場合は、書き込み動作を終了させる（ステップＳ２１０）。
（１１）上記ステップＳ２０３の判別の結果、書き込み要求されたセクタ範囲内に欠陥の可能性のあるセクタがあるとされる場合は、マイコン３０は、動作を上記ステップＳ２０５に移行させて、書き込み処理と欠陥セクタの検出処理を一旦停止させる。停止後は、上記ステップＳ２０６〜ステップＳ２１０の動作を行わせる。
（１２）上記ステップＳ２０４の判別の結果、書き込み要求されたセクタ範囲内に欠陥セクタの近傍位置のセクタが含まれない場合は、マイコン３０は、動作をステップＳ２０９の動作に移行させる。
（１３）上記ステップＳ２０７の判別の結果、再生信号中にＣ１エラーが多くは含まれておらず実用上問題ないレベルの場合は、マイコン３０は、動作をステップＳ２０９の動作に移行させる。
（１４）上記ステップＳ２０９の判別の結果、要求された全セクタの書き込みが終了していないときは、マイコン３０は、書き込み処理と欠陥セクタの検出処理とを継続させる（ステップＳ２１１）。
【００１１】
上記第１の実施形態によれば、書き込み動作中の欠陥セクタの検出を、光ディスク１からの反射光（戻り光）に基づく再生信号（ＲＦ信号）に基づく判別と、該光ディスク１から得た交替情報に基づく判別とにより行う構成のため、書き込み時における光ディスクの欠陥セクタ検出の信頼性と再生可否の判定の信頼性とを向上させることができる。また、書き込み中に試し読みを行う構成のため、書き込みを終えてから試し読みを行う構成の場合に比べ、短時間での書き込み動作が可能となる。
【００１２】
図３は、本発明の第２の実施形態としての光ディスク装置の記録時における書き込み動作の説明図である。本第２の実施形態も、光ディスクとしては例えばＣＤフォーマットディスク（ＣＤ−ＲＷ）を用いるとして説明する。本第２の実施形態において、光ディスク装置のハード基本構成は図１の構成と同様である。本第２の実施形態では、マイコン３０内に保存されるプログラムとして、マイコン３０が、交替情報に基づく判別の結果、書き込み要求されたセクタ範囲内に欠陥セクタの近傍位置のセクタが含まれる場合には、当該書き込み要求されたセクタは欠陥である可能性が高いため、該欠陥を見逃さないように、光ディスク１からの反射光（戻り光）に基づく再生信号（ＲＦ信号）による欠陥判別において、欠陥セクタの判別基準を引き上げて新たな判別基準を設定した後、該新たな判別基準の下で、光ディスク１への書き込み処理と光ディスク１の欠陥セクタの検出処理を開始するようにしてある。ここで、欠陥セクタの判別基準とは、例えば、ディスク１からの反射光（戻り光）に基づく再生信号の信号レベルの変化量（低下量）の設定閾値や、該信号レベルの変化が継続している時間長の設定閾値などである。新たな判別基準としては、上記信号レベル変化量（低下量）を一層小さくした閾値や、上記継続時間を一層短くした閾値などを設定する。なお、本図３の説明中で用いる構成要素には図１におけると同じ符号を付すとする。
【００１３】
本第２の実施形態における書き込み動作は以下のようになる。すなわち、
図３において、
（１）ホストコンピュータ５０からの書き込み要求信号がインターフェース４０から取入れられ、書き込み要求が発生する（ステップＳ３０１）。
（２）マイコン３０は、書き込み要求されたセクタ情報と、ＤＳＰ２０内の記憶手段から読み出した交替情報とを比較し、該書き込み要求されたセクタ範囲内に欠陥セクタの近傍位置のセクタが含まれるか否かを判別する（ステップＳ３０２）。
（３）上記ステップＳ３０２における判別の結果、書き込み要求されたセクタ範囲内に欠陥セクタの近傍位置のセクタが含まれる場合は、マイコン３０は、欠陥セクタの判別基準を引き上げて新たな判別基準を設定する（ステップＳ３０３）。
（４）上記設定した新たな判別基準により、マイコン３０は、光ディスク１への書き込み処理と、光ディスク１の欠陥セクタの検出処理とを開始させる（ステップＳ３０４）。
（５）書き込み処理動作中にマイコン３０は、書き込みを要求されたセクタ範囲内に欠陥の可能性のあるセクタがあるか否かを上記新たな判別基準により、光ディスク１からの反射光（戻り光）による再生信号（ＲＦ信号）に基づき判別する（ステップＳ３０５）。
（６）上記ステップＳ３０５において上記新たな判別基準による判別の結果、上記書き込みを要求されたセクタ範囲内に欠陥の可能性のあるセクタがある場合は、マイコン３０は、書き込み処理及び欠陥セクタの検出処理を一旦停止させる（ステップＳ３０６）。
（７）書き込み処理及び欠陥セクタ検出処理の停止後、マイコン３０は、当該近傍位置のセクタの試し読み（ベリファイリード）処理を行わせる（ステップＳ３０７）。
（８）マイコン３０は、上記試し読み（ベリファイリード）の結果、再生信号中にＣ１エラー（リードエラーやデコードエラーなど）が多くあるか否かを判別する（ステップＳ３０８）。
（９）上記ステップＳ３０８の判別の結果、Ｃ１エラーが多くあって実用上問題となるレベルのときは、マイコン３０は、当該近傍位置のセクタを欠陥セクタと判断し、当該近傍位置のセクタに書き込むべきであった情報を光ディスク１の交替領域に書き込むように制御する（＝交替書き込み処理）（ステップＳ３０９）。
（１０）上記交替書き込み処理後、マイコン３０は、要求された全セクタについての書き込みが終了しているか否かを判別する（ステップＳ３１０）。
（１１）上記ステップＳ３１０における判別の結果、全セクタについての書き込みが終了している場合は、書き込み動作を終了させる（ステップＳ３１１）。
（１２）上記ステップＳ３０２における判別の結果、書き込み要求されたセクタ範囲内に欠陥セクタの近傍位置のセクタが含まれない場合は、マイコン３０は、動作をステップＳ３０４に移行させ、光ディスク１の書き込み処理と欠陥セクタの検出処理とを開始させる。
（１３）上記ステップＳ３０５における判別の結果、書き込みを要求されたセクタ範囲内に欠陥の可能性のあるセクタがない場合は、マイコン３０は、動作をステップＳ３１０の動作に移行させ、要求された全セクタについての書き込みが終了しているか否かを判別する。
（１４）上記ステップＳ３０８における判別の結果、再生信号中にＣ１エラーが多くは含まれておらず実用上問題ないレベルの場合も、マイコン３０は、動作をステップＳ３１０の動作に移行させる。
（１５）上記ステップＳ３１０における判別の結果、要求された全セクタについての書き込みが終了していない場合は、マイコン３０は、書き込み処理と欠陥セクタの検出処理とを継続させる（ステップＳ３１２）。
【００１４】
上記第２の実施形態によっても、書き込み時における光ディスクの欠陥検出の信頼性と再生可否の判定の信頼性とを向上させることができる。また、短時間での書き込み動作も可能となる。
【００１５】
図４は、本発明の効果を説明するための図であって、上記図２におけるステップＳ２０４及び上記図３におけるステップＳ３０２、ステップＳ３０３がない場合の動作図である。この場合も、光ディスクとしては例えばＣＤフォーマットディスク（ＣＤ−ＲＷ）を用いるとする。また、本図４の説明で用いる構成要素には図１中の符号と同じものを付すとする。
【００１６】
図４において、
（１）ホストコンピュータ５０からの書き込み要求信号がインターフェース４０から取入れられ、書き込み要求が発生する（ステップＳ４０１）。
（２）光ディスク装置内で光ディスク１への書き込み処理が開始され、並行して光ディスク１の欠陥セクタの検出処理も開始される（ステップＳ４０２）。
（３）書き込みを要求されたセクタ範囲内に欠陥の可能性のあるセクタがあるか否かを、書き込み処理動作中にマイコン３０が、光ディスク１からの反射光（戻り光）による再生信号（ＲＦ信号）に基づき判別する（ステップＳ４０３）。
（４）上記判別の結果、書き込みを要求されたセクタ範囲内に欠陥の可能性のあるセクタがある場合は、マイコン３０は、書き込み処理及び欠陥セクタの検出処理を一旦停止させる（ステップＳ４０４）。
（５）書き込み処理及び欠陥セクタ検出処理の停止後、マイコン３０は、当該近傍位置のセクタの試し読み（ベリファイリード）処理を行わせる（ステップＳ４０５）。
（６）マイコン３０は、上記試し読み（ベリファイリード）の結果、再生信号中にＣ１エラー（リードエラーやデコードエラーなど）が多くあるか否かを判別する（ステップＳ４０６）。
（７）上記ステップＳ４０６の判別の結果、Ｃ１エラーが多くあって実用上問題となるレベルのときは、マイコン３０は、当該近傍位置のセクタを欠陥セクタと判断し、当該近傍位置のセクタに書き込むべきであった情報は光ディスク１の交替領域に書き込む（＝交替書き込み処理）（ステップＳ４０７）。
（８）上記交替書き込み処理後、マイコン３０は、要求された全セクタについての書き込みが終了しているか否かを判別する（ステップＳ４０８）。
（９）上記判別の結果、全セクタについての書き込みが終了している場合は、書き込み動作を終了させる（ステップＳ４０９）。
（１０）上記ステップＳ４０３における判別の結果、書き込み要求されたセクタ範囲内に欠陥の可能性のあるセクタがないとされる場合は、マイコン３０は、動作を上記ステップＳ４０８に移行させる。
（１１）上記ステップＳ４０６における判別の結果、再生信号中にＣ１エラーが多くは含まれておらず実用上問題ないレベルの場合は、マイコン３０は、動作をステップＳ４０８の動作に移行させる。
（１２）上記ステップＳ４０８の判別の結果、要求された全セクタの書き込みが終了していないときは、マイコン３０は、書き込み処理と欠陥セクタの検出処理とを継続させる（ステップＳ４１０）。
【００１７】
図４の動作は、上記のように、ステップＳ４０３の判別の結果、書き込み要求されたセクタ範囲内に欠陥の可能性のあるセクタがない場合は、欠陥セクタはないものとされ、動作が上記ステップＳ４０８に移行される。このため、例えば、書き込んだ情報が実際は再生不可能な状態にあったとしても、該情報の交替領域への書き込み処理が行われず、そのために記録情報が失われてしまうことになる。本発明は、この点を改善できるようにしたもので、例えば上記第１の実施形態の場合は、反射光に基づく再生信号による判別の結果、書き込み要求されたセクタ範囲内に欠陥の可能性のあるセクタがない場合にも、さらに、書き込み要求されたセクタ情報と交替情報とを比較することで該書き込み要求されたセクタ範囲内に欠陥セクタの近傍位置のセクタが含まれるか否かを判別し、該判別の結果、該書き込み要求されたセクタ範囲内に欠陥セクタの近傍位置のセクタが含まれるときに、交替領域への書き込みを行う。また、上記第２の実施形態の場合も、交替情報を利用して該書き込み要求されたセクタ範囲内に欠陥セクタの近傍位置のセクタが含まれるか否かを判別するとともに、反射光に基づく再生信号により、欠陥セクタの判別基準を引き上げた新たな判別基準で、書き込み要求されたセクタ範囲内に欠陥の可能性のあるセクタがあるか否かを判別し、該判別の結果、欠陥の可能性のあるセクタがある場合に交替領域への書き込みを行う。すなわち、本発明では、上記第１、第２の実施形態に示すように、書き込み要求されたセクタ範囲内に欠陥の可能性のあるセクタがあるか否かを判別することに加えさらに、交替情報を用いて、書き込み要求されたセクタ範囲内に欠陥セクタの近傍位置のセクタが含まれるか否かを判別したり、欠陥の可能性のあるセクタの判別基準を引き上げたりする。このため、本発明では、例えば光ディスクに書き込んだ情報が実際は再生不可能な状態にある場合には、これが正確に判別され、該情報の交替領域への書き込み処理が確実に行われる。この結果、記録情報が失われることが防止される。
【００１８】
なお、上記第１の実施形態における図２の動作及び上記第２の実施形態における図３の動作は、光ディスクが例えばＣＤフォーマットディスクである場合として説明したが、本発明はこれに限定されず、例えば、光ディスクとしてＤＶＤ等を用い、図２のステップＳ２０７や、図３のステップＳ３０８におけるエラー判別をそれぞれに対応した方法で行うようにしてもよい。
【図面の簡単な説明】
【００１９】
【図１】本発明の第１の実施形態としての光ディスク装置の構成例図である。
【図２】図１の構成における情報の書き込み動作の説明図である。
【図３】本発明の第２の実施形態としての光ディスク装置の書き込み動作の説明図である。
【図４】本発明の効果を説明するための動作説明図である。
【符号の説明】
【００２０】
１…光ディスク、
２…ディスクモータ、
３…光ピックアップ、
４…ピックアップスライド機構、
５…スライダモータ、
６…モータ駆動回路、
７…レーザーダイオード、
８…受光部、
９…レーザー駆動回路、
１０…光学系、
１１…アクチュエータ、
１２…記録信号生成部、
１３…再生／誤差信号処理部、
１４…フォーカス／トラッキング制御部、
２０…ＤＳＰ、
３０…マイコン、
４０…インターフェース、
５０…ホストコンピュータ。
【図１】
2005108337.tif 000003
【図２】
2005108337.tif 000004
【図３】
2005108337.tif 000005
【図４】
2005108337.tif 000006